(57)【要約】      （修正有）【課題】携帯電話装置を紛失した場合に、その携帯電話装置の記憶部に記憶されているデータの流出を防止する。【解決手段】携帯電話装置の中央処理装置に、行動パターン記録部、標準的行動パターン抽出部、行動パターン判定部、制御実行部を設ける。行動パターン記録部は、携帯電話装置のユーザの行動データを作成し、第２のメモリ１９３に蓄積する。標準的行動パターン抽出部は、第２のメモリに蓄積された行動データに基づいて、携帯電話装置のユーザの標準的行動パターンを抽出する。携帯電話装置１００の制御部１９０は、ユーザの現在の行動パターンがユーザの標準的行動パターンから外れている場合には、第２のメモリ１９３に記憶されているデータを含む全ての記憶データを強制的に消去する。【選択図】図１
2009224868.tif 000002
【特許請求の範囲】
【請求項１】
行動パターン記録部と、標準的行動パターン抽出部と、行動パターン判定部と、制御実行部と、データが記憶されている記憶部と、を備える携帯無線通信端末装置であって、
前記行動パターン記録部は、前記携帯無線通信装置のユーザの行動データを作成し、前記行動データを蓄積し、
前記標準的行動パターン抽出部は、蓄積された前記行動データに基づいて前記ユーザの標準的行動パターンを抽出し、
前記行動パターン判定部は、前記標準的行動パターンと現在の前記ユーザの行動パターンとを比較し、現在の前記ユーザの行動パターンが前記標準的行動パターンから外れているか否かを判定し、
前記制御実行部は、前記行動パターン判定部により、現在の前記ユーザの行動パターンが前記標準的行動パターンから外れていると判定された場合に、第一の制御処理及び第二の制御処理のうちの少なくとも何れか一方を行い、
前記第一の制御処理は前記携帯無線通信装置の作動をロックする処理からなり、
前記第二の制御処理は前記記憶部に記憶されている前記データを消去する処理からなるものである携帯無線通信装置。
【請求項２】
前記制御実行部は、
前記行動パターン判定部により、現在の前記ユーザの行動パターンが前記標準的行動パターンから外れていると判定された場合には、前記ユーザに対して、前記第一の制御処理及び前記第二の制御処理のうちの少なくとも何れか一方を実行する旨の警告を発し、
前記警告に対して前記ユーザから応答がない場合には、前記第一の制御処理及び前記第二の制御処理のうちの少なくとも何れか一方を実施するものである請求項１に記載の携帯無線通信端末装置。
【請求項３】
前記制御実行部は、前記第一の制御処理及び前記第二の制御処理のうちの少なくとも何れか一方を実施する前に、前記ユーザの現在地を示す情報を前記記憶部に記憶されている予め定められた連絡先に連絡を行うものであることを特徴とする請求項１または２に記載の携帯無線通信端末装置。
【請求項４】
前記携帯無線通信端末装置は携帯電話装置からなるものであることを特徴とする請求項１乃至３の何れか一項に記載の携帯無線通信端末装置。
【請求項５】
データが記憶されている記憶部と、データ消去判定部と、制御実行部と、を備える携帯無線通信端末装置であって、
前記データ消去判定部は、予め定められたサーバと通信不能の状態である時間が予め定められた時間を越えているか否かを判定し、
前記制御実行部は、前記データ消去判定部により、前記予め定められたサーバと通信不能の状態である時間が予め定められた時間を越えていると判定された場合には、前記記憶部に記憶されているデータを消去するものである携帯無線通信端末装置。
【請求項６】
前記制御実行部は、前記データ消去判定部により、予め定められたサーバと通信不能の状態である時間が予め定められた時間を越えていると判定された場合には、前記記憶部に記憶された予め定められた連絡先に通知を行い、
前記データ消去部は、前記通知が完了した後、前記記憶部に記憶されているデータを消去するものである請求項５に記載の携帯無線通信端末装置。
【請求項７】
前記制御実行部は、前記データが消去される前に、前記データをデータバックアップサーバに送信することを特徴とする請求項１乃至６の何れか一項に記載の携帯無線通信端末装置。
【請求項８】
前記記憶部には前記データのバックアップを行う頻度が記憶されており、前記制御実行部は、前記頻度に従って、前記データを予め定められたデータバックアップ用サーバに送信することを特徴とする請求項１乃至７の何れか一項に記載の携帯無線通信端末装置。
【請求項９】
請求項１乃至８の何れか一項に記載の携帯無線通信端末装置と、データバックアップサーバと、通信状態監視サーバと、からなる通信システムであって、
前記データバックアップサーバは、前記携帯無線通信端末装置から、前記携帯無線通信端末装置の記憶部に記憶されているデータを受信し、当該データを記憶し、
前記通信状態監視サーバは、前記携帯無線通信端末装置と通信不能の状態である時間が予め定められた時間を越えている場合には、前記携帯無線通信端末装置のユーザの現在地を示す情報を予め定められた連絡先に送信するものである通信システム。
【請求項１０】
行動パターン格納サーバをさらに備えており、
前記行動パターン格納サーバは、前記携帯無線通信端末装置により作成された前記ユーザの行動データを受信し、当該行動データを格納するものである請求項９に記載の通信システム。
【請求項１１】
携帯無線通信装置のユーザの行動データを作成し、前記行動データを蓄積する第一の過程と、
蓄積された前記行動データに基づいて前記ユーザの標準的行動パターンを抽出する第二の過程と、
前記標準的行動パターンと現在の前記ユーザの行動パターンとを比較し、現在の前記ユーザの行動パターンが前記標準的行動パターンから外れているか否かを判定する第三の過程と、
前記第三の過程において、現在の前記ユーザの行動パターンが前記標準的行動パターンから外れていると判定された場合に、前記携帯無線通信装置の作動をロックする第一の制御処理及び前記携帯無線通信端末装置の記憶部に記憶されているデータを消去する第二の制御処理のうちの少なくとも何れか一方の処理を行う第四の過程と、
を備える携帯無線通信装置の制御方法。
【請求項１２】
前記第三の過程において、現在の前記ユーザの行動パターンが前記標準的行動パターンから外れていると判定された場合には、前記ユーザに対して、前記第一の制御処理及び前記第二の制御処理のうちの少なくとも何れか一方を実施する旨の警告を発する過程をさらに備え、
前記警告に対して前記ユーザから応答がない場合には、前記第四の過程において、前記第一の制御処理及び前記第二の制御処理のうちの少なくとも何れか一方理が実施されることを特徴とする請求項１１に記載の携帯無線通信端末装置の制御方法。
【請求項１３】
前記第一の制御処理及び前記第二の制御処理のうちの少なくとも何れか一方を実施する前に、前記ユーザの現在地を示す情報を前記記憶部に記憶されている予め定められた連絡先に連絡を行う過程をさらに備えることを特徴とする請求項１１または１２に記載の携帯無線通信端末装置の制御方法。
【請求項１４】
予め定められたサーバと通信不能の状態である時間が予め定められた時間を越えているか否かを判定する第一の過程と、
前記第一の過程において、前記予め定められたサーバと通信不能の状態である時間が予め定められた時間を越えていると判定された場合には、携帯無線通信装置の作動をロックする第一の制御処理及び前記携帯無線通信端末装置の記憶部に記憶されているデータを消去する第二の制御処理のうちの少なくとも何れか一方の処理を行う第二の過程と、
を備える携帯無線通信端末装置の制御方法。
【請求項１５】
前記第一の過程において、予め定められたサーバと通信不能の状態である時間が予め定められた時間を越えていると判定された場合には、前記携帯無線通信端末装置の記憶部に記憶された予め定められた連絡先に通知を行う過程をさらに備え、
前記第二の過程においては、前記通知が完了した後、前記記憶部に記憶されているデータを消去するものであることを特徴とする請求項１４に記載の携帯無線通信端末装置の制御方法。
【請求項１６】
前記データが消去される前に、前記データをデータバックアップサーバに送信する過程をさらに備えることを特徴とする請求項１１乃至１５の何れか一項に記載の携帯無線通信端末装置の制御方法。
【請求項１７】
データが記憶されている記憶部を備える携帯無線通信端末装置の制御方法をコンピュータに実行させるためのプログラムであって、
前記プログラムが行う処理は、
携帯無線通信装置のユーザの行動データを作成し、前記行動データを蓄積する第一の制御処理と、
蓄積された前記行動データに基づいて前記ユーザの標準的行動パターンを抽出する第二の制御処理と、
前記標準的行動パターンと現在の前記ユーザの行動パターンとを比較し、現在の前記ユーザの行動パターンが前記標準的行動パターンから外れているか否かを判定する第三の処理と、
前記第三の処理において、現在の前記ユーザの行動パターンが前記標準的行動パターンから外れていると判定された場合に、前記携帯無線通信装置の作動をロックする第一の制御処理及び前記携帯無線通信端末装置の記憶部に記憶されているデータを消去する第二の制御処理のうちの少なくとも何れか一方の処理を行う第四の処理と、
からなるものであるプログラム。
【請求項１８】
前記第三の処理において、現在の前記ユーザの行動パターンが前記標準的行動パターンから外れていると判定された場合には、前記ユーザに対して、前記データを消去する旨の警告を送信する処理をさらに備え、
前記警告に対して前記ユーザから応答がない場合には、前記第四の処理において、前記第二の制御処理が実施されることを特徴とする請求項１７に記載のプログラム。
【請求項１９】
前記第二の制御処理を実施する前に、前記ユーザの現在地を示す情報を前記記憶部に記憶されている予め定められた連絡先に送信する処理をさらに備えることを特徴とする請求項１７または１８に記載のプログラム。
【請求項２０】
前記第二の制御処理が実施される前に、前記データをデータバックアップサーバに送信する処理をさらに備えることを特徴とする請求項１７乃至１９の何れか一項に記載のプログラム。
【請求項２１】
データが記憶されている記憶部を備える携帯無線通信端末装置の制御方法をコンピュータに実行させるためのプログラムであって、
前記プログラムが行う処理は、
予め定められたサーバと通信不能の状態である時間が予め定められた時間を越えているか否かを判定する第一の処理と、
前記第一の処理において、前記予め定められたサーバと通信不能の状態である時間が予め定められた時間を越えていると判定された場合には、前記記憶部に記憶されているデータを消去する第二の処理と、
からなるプログラム。
【請求項２２】
前記第一の処理において、予め定められたサーバと通信不能の状態である時間が予め定められた時間を越えていると判定された場合には、前記記憶部に記憶された予め定められた連絡先に通知を行う処理をさらに備え、
前記第二の処理においては、前記通知が完了した後、前記記憶部に記憶されているデータを消去するものであることを特徴とする請求項２１に記載のプログラム。
【請求項２３】
前記データが消去される前に、前記データをデータバックアップサーバに送信する処理をさらに備えることを特徴とする請求項１７乃至２２の何れか一項に記載のプログラム。
【発明の詳細な説明】
【技術分野】
【０００１】
本発明は、携帯無線通信端末装置、携帯無線通信端末装置を含む通信システム、携帯無線通信端末装置の制御方法、及び、携帯無線通信端末装置の制御方法をコンピュータに実行させるためのプログラムに関する。
【背景技術】
【０００２】
個人データその他各種のデータを記憶している記憶部を備える携帯無線通信端末装置の紛失に起因して、紛失した携帯無線通信端末装置から個人データその他の情報の流出を避けるため、多くの対応策が模索されている。
【０００３】
例えば、特開２００１−２９２２２２号公報（特許文献１）は、移動体端末を紛失した際に、交換機や基地局を含む移動体通信ネットワーク側からの制御により、電話帳情報その他の個人情報を消去する方法を開示している。
【０００４】
また、特開２００７−２０８４４４号公報（特許文献２）は、携帯電話のユーザの経路データを予め記憶しておき、ユーザの現在位置が経路データに示される経路から逸脱している場合には、その旨をユーザに通知する携帯電話を開示している。
【特許文献１】特開２００１−２９２２２２号公報
【特許文献２】特開２００７−２０８４４４号公報
【発明の開示】
【発明が解決しようとする課題】
【０００５】
特許文献１に開示されている方法によれば、移動体通信ネットワーク側からの制御により、電話帳情報その他の個人情報が消去される。この場合の移動体通信ネットワーク側からの消去制御は、紛失した移動体端末のユーザからの要求により、実行される。
【０００６】
すなわち、移動体通信ネットワーク側からの消去制御は、移動体端末のユーザが自己の移動体端末を紛失したことに気が付いた後に実行されるものである。このため、移動体端末のユーザが自己の移動体端末を実際に紛失してから、その紛失に気が付くまでの間における移動体端末からのデータの流出を防止することはできない。
【０００７】
また、特許文献２に記載されている携帯電話によれば、ユーザの現在位置が経路データに示される経路から逸脱している場合、すなわち、携帯電話から情報流出のおそれがある場合に、ユーザに対して警告が発せられる。
【０００８】
しかしながら、そのような場合であっても、ユーザがその警告に気が付かない場合、あるいは、ユーザがその警告に気が付いたとしても、ユーザが何の措置も取らなかった場合には、依然として、その携帯電話からの情報流出のおそれはなくならない。
【０００９】
このように、特許文献１に記載された方法あるいは特許文献２に記載された携帯電話の何れにおいても、最終的にユーザに何らかのアクションを求めるものであるため、ユーザがそのアクションを起こさない（あるいは、起こせない）場合には、情報の流出は避けられないことがある。
【００１０】
本発明は、上記の課題を解決することを可能にする携帯無線通信端末装置、携帯無線通信端末装置を含む通信システム、携帯無線通信端末装置の制御方法、及び、携帯無線通信端末装置の制御方法をコンピュータに実行させるためのプログラムを提供することを目的とする。
【課題を解決するための手段】
【００１１】
この目的を達成するため、本発明は、第一の態様として、行動パターン記録部と、標準的行動パターン抽出部と、行動パターン判定部と、制御実行部と、データが記憶されている記憶部と、を備える携帯無線通信端末装置であって、前記行動パターン記録部は、前記携帯無線通信装置のユーザの行動データを作成し、前記行動データを蓄積し、前記標準的行動パターン抽出部は、蓄積された前記行動データに基づいて前記ユーザの標準的行動パターンを抽出し、前記行動パターン判定部は、前記標準的行動パターンと現在の前記ユーザの行動パターンとを比較し、現在の前記ユーザの行動パターンが前記標準的行動パターンから外れているか否かを判定し、前記制御実行部は、前記行動パターン判定部により、現在の前記ユーザの行動パターンが前記標準的行動パターンから外れていると判定された場合に、第一の制御処理及び第二の制御処理のうちの少なくとも何れか一方を行い、前記第一の制御処理は前記携帯無線通信装置の作動をロックする処理からなり、前記第二の制御処理は前記記憶部に記憶されている前記データを消去する処理からなるものである携帯無線通信装置を提供する。
【００１２】
さらに、本発明は、第二の態様として、データが記憶されている記憶部と、データ消去判定部と、制御実行部と、を備える携帯無線通信端末装置であって、前記データ消去判定部は、予め定められたサーバと通信不能の状態である時間が予め定められた時間を越えているか否かを判定し、前記制御実行部は、前記データ消去判定部により、前記予め定められたサーバと通信不能の状態である時間が予め定められた時間を越えていると判定された場合には、前記記憶部に記憶されているデータを消去するものである携帯無線通信端末装置を提供する。
【００１３】
さらに、本発明は、第三の態様として、上記の携帯無線通信端末装置と、データバックアップサーバと、通信状態監視サーバと、からなる通信システムであって、前記データバックアップサーバは、前記携帯無線通信端末装置から、前記携帯無線通信端末装置の記憶部に記憶されているデータを受信し、当該データを記憶し、前記通信状態監視サーバは、前記携帯無線通信端末装置と通信不能の状態である時間が予め定められた時間を越えている場合には、前記携帯無線通信端末装置のユーザの現在地を示す情報を予め定められた連絡先に送信するものである通信システムを提供する。
【００１４】
さらに、本発明は、第四の態様として、携帯無線通信装置のユーザの行動データを作成し、前記行動データを蓄積する第一の過程と、蓄積された前記行動データに基づいて前記ユーザの標準的行動パターンを抽出する第二の過程と、前記標準的行動パターンと現在の前記ユーザの行動パターンとを比較し、現在の前記ユーザの行動パターンが前記標準的行動パターンから外れているか否かを判定する第三の過程と、前記第三の過程において、現在の前記ユーザの行動パターンが前記標準的行動パターンから外れていると判定された場合に、前記携帯無線通信装置の作動をロックする第一の制御処理及び前記携帯無線通信端末装置の記憶部に記憶されているデータを消去する第二の制御処理のうちの少なくとも何れか一方の処理を行う第四の過程と、を備える携帯無線通信装置の制御方法を提供する。
【００１５】
さらに、本発明は、第五の態様として、予め定められたサーバと通信不能の状態である時間が予め定められた時間を越えているか否かを判定する第一の過程と、前記第一の過程において、前記予め定められたサーバと通信不能の状態である時間が予め定められた時間を越えていると判定された場合には、携帯無線通信装置の作動をロックする第一の制御処理及び前記携帯無線通信端末装置の記憶部に記憶されているデータを消去する第二の制御処理のうちの少なくとも何れか一方の処理を行う第二の過程と、を備える携帯無線通信端末装置の制御方法を提供する。
【００１６】
さらに、本発明は、第六の態様として、データが記憶されている記憶部を備える携帯無線通信端末装置の制御方法をコンピュータに実行させるためのプログラムであって、前記プログラムが行う処理は、携帯無線通信装置のユーザの行動データを作成し、前記行動データを蓄積する第一の制御処理と、蓄積された前記行動データに基づいて前記ユーザの標準的行動パターンを抽出する第二の制御処理と、前記標準的行動パターンと現在の前記ユーザの行動パターンとを比較し、現在の前記ユーザの行動パターンが前記標準的行動パターンから外れているか否かを判定する第三の処理と、前記第三の処理において、現在の前記ユーザの行動パターンが前記標準的行動パターンから外れていると判定された場合に、前記携帯無線通信装置の作動をロックする第一の制御処理及び前記携帯無線通信端末装置の記憶部に記憶されているデータを消去する第二の制御処理のうちの少なくとも何れか一方の処理を行う第四の処理と、からなるものであるプログラムを提供する。
【００１７】
さらに、本発明は、第七の態様として、データが記憶されている記憶部を備える携帯無線通信端末装置の制御方法をコンピュータに実行させるためのプログラムであって、前記プログラムが行う処理は、予め定められたサーバと通信不能の状態である時間が予め定められた時間を越えているか否かを判定する第一の処理と、前記第一の処理において、前記予め定められたサーバと通信不能の状態である時間が予め定められた時間を越えていると判定された場合には、前記記憶部に記憶されているデータを消去する第二の処理と、からなるプログラムを提供する。
【発明の効果】
【００１８】
本発明の第一の態様によれば、携帯無線通信端末装置のユーザの行動パターンが標準的行動パターンから外れている場合、すなわち、携帯無線通信端末装置のユーザが日常とは異なる行動を行っている場合、携帯無線通信端末装置のユーザが携帯無線通信端末装置を紛失するおそれが比較的大きくなることが想定される。そのような場合、本発明によれば、携帯無線通信端末装置のユーザの行動パターンが標準的行動パターンから外れていることを自動的に検出し、携帯無線通信端末装置の紛失に伴うデータの流出を防止するために必要な措置として、携帯無線通信端末装置の作動のロック及び記憶部に記憶されているデータの消去の一方または双方を実施する。これらの措置は携帯無線通信端末装置のユーザによる何らかのアクションを必要とせずに、携帯無線通信端末装置により自動的に行われる。このため、携帯無線通信端末装置の紛失に伴うデータの流出を確実に防止することが可能である。
【００１９】
本発明の第三、第四または第六の態様によっても、同様の効果を得ることができる。
【００２０】
本発明の第二の態様によれば、本携帯無線通信端末装置が予め定められたサーバと予め定められた時間を越えて通信不能である場合、当該携帯無線通信端末装置のユーザが当該携帯無線通信端末装置を紛失している可能性が高い。このような場合、本発明に係る携帯無線通信端末装置は、携帯無線通信端末装置の紛失に伴うデータの流出を防止するために必要な措置として、携帯無線通信端末装置の作動のロック及び記憶部に記憶されているデータの消去の一方または双方を実施する。これらの措置は携帯無線通信端末装置のユーザによる何らかのアクションを必要とせずに、携帯無線通信端末装置により自動的に行われる。このため、本発明によれば、携帯無線通信端末装置の紛失に伴うデータの流出を確実に防止することが可能である。
【００２１】
本発明の第五または第七の態様によっても、同様の効果を得ることができる。
【発明を実施するための最良の形態】
【００２２】
（第一の実施形態）
図１は、本発明の第一の実施形態に係る携帯無線通信端末装置のブロック図である。
【００２３】
本実施形態に係る携帯無線通信端末装置は携帯電話装置１００として構成されている。
【００２４】
図１に示すように、本実施形態に係る携帯無線通信端末装置としての携帯電話装置１００は、操作部１１０と、表示部１２０と、発音部（スピーカ）１３０と、受話部（マイクロホン）１４０と、電源部１５０と、ＧＰＳ（Ｇｌｏｂａｌ  Ｐｏｓｉｔｉｏｎｉｎｇ  Ｓｙｓｔｅｍ）ユニット１６０と、定期券機能部１７０と、無線部１８０と、アンテナ１８３と、制御部１９０と、を備えている。
【００２５】
操作部１１０は、例えば、複数の操作キーからなる。携帯電話装置１００のユーザはこれらの操作キーを介してコマンドまたはデータを携帯電話装置１００に対して入力することができる。
【００２６】
表示部１２０は、例えば、液晶表示装置からなる。表示部１２０には、ユーザが操作部１１０を介して携帯電話装置１００に入力したデータまたはコマンド、携帯電話装置１００に記憶されているデータ、他の携帯電話装置から送信されてきたデータなど各種のデータが表示される。
【００２７】
発音部１３０は発音動作を行う。すなわち、他の携帯電話装置から送信されてきた音声データ（通話相手の声）や携帯電話装置１００に記憶されている音声データなどは発音部１３０を介して出力される。
【００２８】
受話部１４０は受話動作を行う。すなわち、携帯電話装置１００のユーザが通話を行うときに当該ユーザの音声を集音する。
【００２９】
電源部１５０は携帯電話装置１００の電源を構成する。すなわち、電源部１５０から他の構成要素に電流が供給される。電源部１５０は、例えば、充電可能な二次電池から構成される。
【００３０】
ＧＰＳユニット１６０は、ＧＰＳを利用して、携帯電話装置１００の現在位置を検出する。検出された携帯電話装置１００の現在位置は、例えば、制御部１９０の内部に配置されているメモリ（例えば、後述する第１のメモリ１９２）に記憶される。
【００３１】
定期券機能部１７０は定期券としての機能を発揮する。鉄道の各駅に設置されている電子改札機に携帯電話装置１００をかざすと、電子改札機と定期券機能部１７０との間で通信が行われ、電子改札機は定期券機能部１７０に格納されている定期券データが有効であるか否かを判断する。定期券データが有効である場合には、電子改札機は携帯電話装置１００のユーザの通過を許可する。同時に、電子改札機及び定期券機能部１７０の双方には、通過時刻及び通過した駅名が記録される。
【００３２】
無線部１８０は、例えば、ＣＤＭＡ（Ｃｏｄｅ  Ｄｉｖｉｓｉｏｎ  Ｍｕｌｔｉｐｌｅ  Ａｃｃｅｓｓ）方式により、無線通信を行う。
【００３３】
無線部１８０はアンテナ１８３に接続されており、アンテナ１８３を介して外部（例えば、基地局）との間で無線信号を送受信する。
【００３４】
無線部１８０は、アンテナ１８３を介して無線信号の受信動作を行う受信部１８１と、アンテナ１８３を介して無線信号の送信動作を行う送信部１８２と、を備えている。
【００３５】
受信部１８１は、受信した無線信号を復調し、復調した無線信号を制御部１９０に出力する。
【００３６】
制御部１９０は、受信部１８１から送られてきた復調無線信号に基づいて、例えば、発音部１４０に対して発音動作（通話の相手方の音声の出力）を行わせ、あるいは、表示部１２０に表示動作（通話の相手方の電話番号の表示あるいは通話中である旨を示す表示）を行わせる。
【００３７】
送信部１８２は、制御部１９０が受話部１４０から入力された音声に基づいて生成した音声信号あるいは制御部１９０が発信した制御信号を変調し無線信号に変換し、アンテナ１８３を介してこの無線信号を外部に送信する。
【００３８】
以上のように、携帯電話装置１００は、無線部１８０が無線通信を実行することによって、他の電話との通話、電子メールの送受信、インターネットへの接続などの通信機能を実行することができるようになっている。
【００３９】
図１に示すように、制御部１９０は、中央処理装置（ＣＰＵ：Ｃｅｎｔｒａｌ  Ｐｒｏｃｅｓｓｉｎｇ  Ｕｎｉｔ）１９１と、第１のメモリ１９２と、第２のメモリ１９３と、各種命令及びデータを中央処理装置１９１に入力するための入力インターフェイス１９４と、中央処理装置１９１により実行された処理の結果を出力する出力インターフェイス１９５と、中央処理装置１９１と第１のメモリ１９２、第２のメモリ１９３、入力インターフェイス１９４及び出力インターフェイス１９５とを接続するバス１９６と、から構成されている。
【００４０】
第１及び第２のメモリ１９２、１９３の各々は、リード・オンリー・メモリー（ＲＯＭ）、ランダム・アクセス・メモリー（ＲＡＭ）またはＩＣメモリーカードなどの半導体記憶装置、フレキシブルディスクなどの記憶媒体、ハードディスク、あるいは、光学磁気ディスクなどからなる。本実施形態においては、第１のメモリ１９２はＲＯＭからなり、第２のメモリ１９３はＲＡＭからなる。
【００４１】
第１のメモリ１９２は中央処理装置１９１が実行するための各種の制御用プログラムその他の固定的なデータを格納している。
【００４２】
第２のメモリ１９３は様々なデータ及びパラメータを記憶しているとともに、中央処理装置１９１に対する作動領域を提供する、すなわち、中央処理装置１９１がプログラムを実行する上で一時的に必要とされるデータを格納している。
【００４３】
中央処理装置１９１は第１のメモリ１９２からプログラムを読み出し、そのプログラムを実行する。すなわち、中央処理装置１９１は第１のメモリ１９２に格納されているプログラムに従って作動し、操作部１１０、表示部１２０、発音部１３０、受話部１４０、電源部１５０、ＧＰＳユニット１６０、定期券機能部１７０及び無線部１８０の動作の制御を含む各種制御動作を実行する。
【００４４】
図２は、制御部１９０の一構成要素である中央処理装置１９１の機能的ブロック図である。
【００４５】
図２に示すように、中央処理装置１９１は、機能的には、行動パターン記録部１９１Ａと、標準的行動パターン抽出部１９１Ｂと、行動パターン判定部１９１Ｃと、制御実行部１９１Ｄと、を構成している。
【００４６】
行動パターン記録部１９１Ａは、携帯無線通信装置１００のユーザの行動データ（行動データの詳細は後述する）を作成し、作成した行動データを、例えば、第２のメモリ１９３に蓄積する。あるいは、第２のメモリ１９３に蓄積することに代えて、データバックアップ用のサーバに行動データを送信し、当該サーバに行動データを蓄積させることも可能である。
【００４７】
標準的行動パターン抽出部１９１Ｂは、例えば、第２のメモリ１９３あるいはデータバックアップ用のサーバに蓄積された行動データに基づいて携帯電話装置１００のユーザの標準的行動パターン（標準的行動パターンの詳細は後述する）を抽出する。
【００４８】
行動パターン判定部１９１Ｃは、標準的行動パターンと現在のユーザの行動パターンとを比較し、現在のユーザの行動パターンが標準的行動パターンから外れているか否かを判定する。
【００４９】
制御実行部１９１Ｄは、行動パターン判定部１９１Ｃにより、現在のユーザの行動パターンが標準的行動パターンから外れていると判定された場合に、第一の制御処理及び第二の制御処理のうちの何れか一方または双方を実施する。
【００５０】
第一の制御処理は携帯無線通信装置１００の作動をロックする処理からなる。この第一の制御処理を実施することにより、操作部１１０を介してのデータまたはコマンドの携帯電話装置１００への入力、表示部１２０における各種データの表示、他の電話装置との通信など携帯電話装置１００の全ての動作が停止する。
【００５１】
第二の制御処理は第２のメモリ１９３に記憶されているデータを消去する処理からなる。この第二の制御処理においては、携帯電話装置１００が第２のメモリ１９３の他にもデータ記憶用メモリを備えている場合には、全てのデータ記憶用メモリからデータが消去される。
【００５２】
第一の制御処理及び第二の制御処理の何れを実施するか、あるいは、双方を実施するかは携帯電話装置１００のユーザが予め定めておくことが可能である。第一の制御処理及び第二の制御処理の何れか一方または双方を指定するコマンドを操作部１１０を介して制御部１９０に入力することにより、指定することが可能である。この場合、携帯電話装置１００のユーザはいつでもその指定を変更することが可能である。
【００５３】
あるいは、携帯電話装置１００の製造時において、第一の制御処理及び第二の制御処理の何れを実施するか、あるいは、双方を実施するかを制御部１９０に入力しておくことも可能である。
【００５４】
次いで、行動パターン記録部１９１Ａによって作成される、携帯無線通信装置１００のユーザの行動データについて説明する。
【００５５】
図３は、行動パターン記録部１９１Ａによって作成される、携帯無線通信装置１００のユーザの行動データの一例を示す。
【００５６】
例えば、携帯電話装置１００のユーザが携帯電話装置１００の定期券機能部１７０を用いて鉄道の駅を通過した場合、行動パターン記録部１９１Ａはその通過駅及び通過時刻を、例えば、第２のメモリ１９３に記憶する。
【００５７】
例えば、２００８年３月３日（月曜日）においては、携帯電話装置１００のユーザは８時００分にＡ駅に入り、８時５０分にＢ駅を出たことが第２のメモリ１９３に記憶され、さらに、同じ日において、携帯電話装置１００のユーザは１８時３０分にＢ駅に入り、１９時２５分にＡ駅を出たことが第２のメモリ１９３に記憶される。
【００５８】
また、携帯電話装置１００のユーザが通話を行った場合、その通話の開始の時刻（通話記録）、発信または受信の区別、使用された基地局などが行動パターン記録部１９１Ａによって第２のメモリ１９３に記憶される。
【００５９】
鉄道の駅の通過時刻及び通話開始時刻は時間順に記憶される。
【００６０】
また、図３には図示していないが、行動パターン記録部１９１Ａは、ＧＰＳユニット１６０を用いて、所定時間毎（例えば、３０分毎）における携帯電話装置１００のユーザの現在位置を第２のメモリ１９３に記憶させることも可能である。
【００６１】
次いで、標準的行動パターン抽出部１９１Ｂにより抽出される標準的行動パターンについて以下に説明する。
【００６２】
図４は、標準的行動パターン抽出部１９１Ｂが作成した標準的行動パターンの一例を示す。
【００６３】
携帯電話装置１００のユーザの標準的行動パターンは、第２のメモリ１９３あるいはデータバックアップ用のサーバに蓄積された行動データに基づいて抽出される。
【００６４】
図３に示した携帯電話装置１００のユーザの行動データにおいては、比較的決まった時間においてＡ駅とＢ駅との間の往復が毎日行われている。これに対して、携帯電話装置１００による通話の時刻は時間的に一定していない。また、その通話に使用された基地局も一定していない。
【００６５】
このため、標準的行動パターン抽出部１９１Ｂは、Ａ駅とＢ駅との間の往復を携帯電話装置１００のユーザによって定期的に行われる事象と認定し、Ａ駅とＢ駅との間の往復を標準的行動パターンとして設定する。
【００６６】
具体的には、標準的行動パターン抽出部１９１Ｂは、携帯電話装置１００のユーザが、予想時刻としての７時４５分から８時１５分の間にＡ駅に入り、予想時刻としての８時３５分から９時５分の間にＢ駅を出て、さらに、予想時刻としての１８時００分から１９時００分の間にＢ駅に入り、予想時刻としての１８時５０分から１９時５０分の間にＡ駅を出る、という標準的行動パターンを有するものとして、この標準的行動パターンを第２のメモリ１９３に記憶する。
【００６７】
なお、ユーザの行動データが曜日によって大きく異なる場合があり得る。例えば、ユーザが会社に勤務する会社員である場合、月曜日から金曜日までの行動データと土曜日及び日曜日の行動データとは大きく異なることが多い。このような場合には、月曜日から金曜日までに適用される標準的行動パターンと土曜日及び日曜日にのみ適用される標準的行動パターンとの二通りの標準的行動パターンを作成することもできる。
【００６８】
また、土曜日や日曜日のように、週によって、ユーザの行動データが大きく異なり、規則性を発見することができないような場合には、土曜日及び日曜日については標準的行動パターンを作成しないことも可能である。
【００６９】
あるいは、曜日ごとにユーザの行動データの規則性が変化する場合には、曜日ごとに標準的行動パターンを作成することも可能である。例えば、月曜日については第一の標準的行動パターンを適用し、火曜日については第二の標準的行動パターンを適用する、ということも可能である。
【００７０】
また、標準的行動パターン抽出部１９１Ｂは、予め定められた日数分の行動データ（例えば、１５日分の行動データ）に基づいて、標準的行動パターンを抽出し、その日数毎に標準的行動パターンを順次更新するようにすることもできる。
【００７１】
図５は、本実施形態に係る携帯無線通信端末装置としての携帯電話装置１００の動作を示すフローチャートである。
【００７２】
先ず、制御部１９０の行動パターン記録部１９１Ａが、図３にその一例を示したように、携帯無線通信装置１００のユーザの行動データを作成する（ステップＳ１０１）。
【００７３】
作成された行動データは、例えば、第２のメモリ１９３に蓄積され、あるいは、データバックアップ用のサーバに行動データを送信され、当該サーバに蓄積される（ステップＳ１０２）。
【００７４】
なお、行動データを第２のメモリ１９３に蓄積する場合、行動データのバックアップを確保するため、制御実行部１９１Ｄは、それまでに第２のメモリ１９３に蓄積された行動データを予め定められたデータバックアップ用サーバに送信する（ステップＳ１０３）。
【００７５】
例えば、第２のメモリ１９３には、行動データのバックアップを行う頻度（例えば、１時間に１回）が記憶されており、制御実行部１９１Ｄは、その頻度に従って、行動データをデータバックアップ用サーバに送信する。
【００７６】
次いで、制御部１９０の標準的行動パターン抽出部１９１Ｂは、第２のメモリ１９３あるいはデータバックアップ用のサーバに蓄積された行動データに基づいて、図４にその一例を示したように、携帯電話装置１００のユーザの標準的行動パターンを抽出する（ステップＳ１０４）。
【００７７】
次いで、行動パターン判定部１９１Ｃは、標準的行動パターンと現在のユーザの行動パターンとを比較し、現在のユーザの行動パターンが標準的行動パターンの範囲外か否か、すなわち、現在のユーザの行動パターンが標準的行動パターンから外れているか否かを判定する（ステップＳ１０５）。
【００７８】
例えば、現在のユーザの行動パターンが標準的行動パターンから外れている場合とは次のような場合である。
【００７９】
（１）携帯電話装置１００のユーザが予想時刻においてＡ駅及びＢ駅の一方または双方で乗降しない場合
（２）携帯電話装置１００のユーザが予想時刻においてＡ駅及びＢ駅以外の駅で乗降した場合
（３）携帯電話装置１００のユーザが予想時刻以外の時刻においてＡ駅及びＢ駅で乗降した場合
【００８０】
現在のユーザの行動パターンが標準的行動パターンから外れていないと判定された場合には（ステップＳ１０５のＮＯ）、後述する第一の制御処理及び第二の制御処理は実施されない。
【００８１】
行動パターン判定部１９１Ｃにより、現在のユーザの行動パターンが標準的行動パターンから外れていると判定された場合には（ステップＳ１０５のＹＥＳ）、制御実行部１９１Ｄは第一の制御処理（携帯電話装置１００の作動のロック）及び第二の制御処理（データの消去）のうちの何れか一方または双方を実施する（ステップＳ１０６）。
【００８２】
本実施形態に係る携帯無線通信端末装置としての携帯電話装置１００によれば、以下の効果を得ることができる。
【００８３】
携帯電話装置１００のユーザの行動パターンが標準的行動パターンから外れている場合、すなわち、携帯電話装置１００のユーザが日常とは異なる行動を行っている場合、携帯電話装置１００のユーザが携帯電話装置１００を紛失するおそれが比較的大きくなることが想定される。
【００８４】
そのような場合、本実施形態に係る携帯無線通信端末装置としての携帯電話装置１００によれば、携帯電話装置１００のユーザの行動パターンが標準的行動パターンから外れていることを自動的に検出し、携帯電話装置１００の紛失に伴うデータの流出を防止するために必要な措置として、携帯電話装置１００の作動のロック及び第２のメモリ１９３に記憶されているデータの消去の一方または双方を実施する。
【００８５】
これらの措置は携帯電話装置１００のユーザによる何らかのアクションを必要とせずに、携帯電話装置１００により自動的に行われる。
【００８６】
このため、携帯電話装置１００の紛失に伴うデータの流出を確実に防止することが可能である。
【００８７】
なお、本実施形態においては、本実施形態に係る携帯無線通信端末装置を携帯電話装置１００として構成したが、本実施形態に係る携帯無線通信端末装置の具現化対象は携帯電話装置１００には限定されない。例えば、本実施形態に係る携帯無線通信端末装置をＰＨＳ（Ｐｅｒｓｏｎａｌ  Ｈａｎｄｙ−ｐｈｏｎｅ  Ｓｙｓｔｅｍ）にも応用することが可能である。以下に述べる変形例及び他の実施形態においても同様である。
【００８８】
（第一の実施形態の変形例１）
図６は、本発明の第一の実施形態に係る携帯無線通信端末装置の変形例１における動作を示すフローチャートである。
【００８９】
図５に示した携帯電話装置１００のフローチャートにおいては、行動パターン判定部１９１Ｃにより、現在のユーザの行動パターンが標準的行動パターンから外れていると判定された場合には（ステップＳ１０５のＹＥＳ）、制御実行部１９１Ｄは第一の制御処理（携帯電話装置１００の作動のロック）及び第二の制御処理（データの消去）のうちの何れか一方または双方を実施する（ステップＳ１０６）。
【００９０】
本変形例１においては、行動パターン判定部１９１Ｃにより、現在のユーザの行動パターンが標準的行動パターンから外れていると判定された場合には（ステップＳ１０５のＹＥＳ）、制御実行部１９１Ｄは表示部１２０に警告を表示する（ステップＳ１０７）。
【００９１】
警告は、例えば、携帯電話装置１００のユーザに対して応答を要求し、応答がない場合には第一の制御処理または第二の制御処理を実行する旨の内容を有している。
【００９２】
表示部１２０における表示に代えて、発音部１３０を介して上記の内容のメッセージを発してもよく、表示部１２０における表示と発音部１３０を介してのメッセージの発信との双方を行ってもよい。
【００９３】
警告を発した後、制御実行部１９１Ｄは携帯電話装置１００のユーザからの応答の有無を判定する（ステップＳ１０８）。
【００９４】
携帯電話装置１００のユーザからの応答があった場合には（ステップＳ１０８のＹＥＳ）、制御実行部１９１Ｄは第一の制御処理及び第二の制御処理を実行しない。この場合には、携帯電話装置１００はそのまま動作を継続する。
【００９５】
携帯電話装置１００のユーザからの応答がなかった場合には（ステップＳ１０８のＮＯ）、制御実行部１９１Ｄは第一の制御処理（携帯電話装置１００の作動のロック）及び第二の制御処理（データの消去）のうちの何れか一方または双方を実施する（ステップＳ１０６）。
【００９６】
携帯電話装置１００のユーザからの応答がなかった場合とは、例えば、次のような場合である。
【００９７】
（１）予め定められた時間（例えば、１分間）内に携帯電話装置１００のユーザから操作部１１０を介して何の入力もなかった場合
（２）応答を暗号で要求した場合に、予め定められた時間（例えば、１分間）内に携帯電話装置１００のユーザから操作部１１０を介してその暗号の入力がなかった場合
（３）応答を暗号で要求した場合に、予め定められた時間（例えば、１分間）内に携帯電話装置１００のユーザから操作部１１０を介して暗号の入力があったが、その暗号が真正の暗号ではなかった場合
【００９８】
以上のように、本変形例１によれば、携帯電話装置１００のユーザの現在の行動パターンが標準的行動パターンから外れていると判定された場合であっても、警告に対してユーザから応答があった場合、すなわち、ユーザが携帯電話装置１００を紛失するおそれがない場合には、第一の制御処理または第二の制御処理は不必要に行われない。このため、ユーザの意に反して、携帯電話装置１００の動作のロックまたはデータの消去が行われることを防止することができる。
【００９９】
（第一の実施形態の変形例２）
図７は、本発明の第一の実施形態に係る携帯無線通信端末装置の変形例２における動作を示すフローチャートである。
【０１００】
図５に示した携帯電話装置１００のフローチャートにおいては、行動パターン判定部１９１Ｃにより、現在のユーザの行動パターンが標準的行動パターンから外れていると判定された場合には（ステップＳ１０５のＹＥＳ）、制御実行部１９１Ｄは第一の制御処理（携帯電話装置１００の作動のロック）及び第二の制御処理（データの消去）のうちの何れか一方または双方を実施する（ステップＳ１０６）。
【０１０１】
本変形例２においては、行動パターン判定部１９１Ｃにより、現在のユーザの行動パターンが標準的行動パターンから外れていると判定された場合には（ステップＳ１０５のＹＥＳ）、制御実行部１９１Ｄは、第一の制御処理または第二の制御処理を実施する前に、携帯電話装置１００のユーザの現在地を示す情報を予め定められた連絡先に連絡を行う（ステップＳ１０９）。
【０１０２】
携帯電話装置１００のユーザの現在地を示す情報はＧＰＳユニット１６０により取得され、第２のメモリ１９３に記憶されたものである。
【０１０３】
予め定められた連絡先は、携帯電話装置１００のユーザによって、操作部１１０を介して予め第２のメモリ１９３に記憶されたものである。
【０１０４】
予め定められた連絡先は１個に限定されるものではなく、２個以上の任意の数を選択することが可能である。
【０１０５】
以上のように、本変形例２によれば、第一の制御処理または第二の制御処理が実施される直前のユーザの現在位置がユーザ以外の者に知らされることになるため、携帯電話装置１００のユーザの追跡調査の一助になる。
【０１０６】
（第一の実施形態の変形例３）
図８は、本発明の第一の実施形態に係る携帯無線通信端末装置の変形例３における動作を示すフローチャートである。
【０１０７】
本変形例３においては、制御実行部１９１Ｄが第一の制御処理または第二の制御処理を実施する（ステップＳ１０６）前に、第２のメモリ１９３に記憶されているデータ（携帯電話装置１００のユーザの行動データを含む）を予め定められたサーバ、例えば、データバックアップ用サーバに送信する（ステップＳ１１０）。
【０１０８】
本変形例３によれば、制御実行部１９１Ｄが第二の制御処理を実施し（ステップＳ１０６）、第２のメモリ１９３内の全てのデータを消去した場合であっても、携帯電話装置１００が正常に作動するようになった後に、データバックアップ用サーバからデータを受信することにより、データ消去前のデータを復活させることができる。
【０１０９】
（第二の実施形態）
図９は、本発明の第二の実施形態に係る携帯無線通信端末装置としての携帯電話装置における制御部１９０の中央処理装置１９７の機能的ブロック図である。
【０１１０】
本発明の第二の実施形態に係る携帯無線通信端末装置としての携帯電話装置は、第一の実施形態に係る携帯無線通信端末装置としての携帯電話装置１００と比較して、制御部１９０が中央処理装置１９１の代わりに中央処理装置１９７を備えている点を除いて、第一の実施形態に係る携帯無線通信端末装置としての携帯電話装置１００と同一の構造を有している。このため、第一の実施形態に係る携帯無線通信端末装置としての携帯電話装置１００と同一の構成要素には同一の参照符号を付す。
【０１１１】
図９に示すように、本実施形態における中央処理装置１９７は、機能的には、データ消去判定部１９７Ａと、制御実行部１９７Ｂと、を構成している。
【０１１２】
データ消去判定部１９７Ａはタイマー１９８の機能を有しており、このタイマー１９８の機能により、本実施形態に係る携帯電話装置が予め定められたサーバ（例えば、後述する第三の実施形態における通信状態監視サーバ）と通信不能の状態である時間Ｔを測定し、さらに、時間Ｔが予め定められた時間ＴＡを越えているか否かを判定する。
【０１１３】
制御実行部１９７Ｂは、データ消去判定部１９７Ａにより、本実施形態に係る携帯電話装置が予め定められたサーバと通信不能の状態である時間Ｔが予め定められた時間ＴＡを越えていると判定された場合には、第２のメモリ１９３に記憶されている全てのデータを消去する。
【０１１４】
図１０は本実施形態に係る携帯無線通信端末装置としての携帯電話装置の動作を示すフローチャートである。
【０１１５】
先ず、データ消去判定部１９７Ａは、タイマー１９８の機能により、本実施形態に係る携帯電話装置が予め定められたサーバと通信不能の状態である時間Ｔを測定する（ステップＳ２０１）。
【０１１６】
次いで、データ消去判定部１９７Ａは、時間Ｔが予め定められた時間ＴＡを越えているか否かを判定する（ステップＳ２０２）。
【０１１７】
時間Ｔが予め定められた時間ＴＡを越えていない場合には（ステップＳ２０２のＮＯ）、制御実行部１９７Ｂは第一の制御処理及び第二の制御処理を実行しない。この場合には、携帯電話装置はそのまま動作を継続する。
【０１１８】
データ消去判定部１９７Ａにより、時間Ｔが予め定められた時間ＴＡを越えていたと判定された場合には（ステップＳ２０２のＹＥＳ）、制御実行部１９７Ｂは第一の制御処理（携帯電話装置の作動のロック）及び第二の制御処理（データの消去）のうちの何れか一方または双方を実施する（ステップＳ２０３）。
【０１１９】
本実施形態に係る携帯無線通信端末装置としての携帯電話装置が予め定められたサーバと予め定められた時間を越えて通信不能である場合、当該携帯電話装置のユーザが当該携帯電話装置を紛失している可能性が高い。
【０１２０】
このような場合、本実施形態に係る携帯無線通信端末装置としての携帯電話装置は、携帯電話装置の紛失に伴うデータの流出を防止するために必要な措置として、携帯電話装置の作動のロック及び第２のメモリ１９３に記憶されているデータの消去の一方または双方を実施する。
【０１２１】
これらの措置は携帯電話装置のユーザによる何らかのアクションを必要とせずに、携帯電話装置により自動的に行われる。
【０１２２】
このため、本実施形態によれば、携帯電話装置の紛失に伴うデータの流出を確実に防止することが可能である。
【０１２３】
なお、上述の第一の実施形態の変形例１乃至３を本実施形態に適用することも可能である。
【０１２４】
第一の実施形態の変形例１を本実施形態に対して適用する場合、時間Ｔが予め定められた時間ＴＡを越えていたと判定されたときには（ステップＳ２０２のＹＥＳ）、制御実行部１９７Ｂは表示部１２０に警告を表示する（ステップＳ１０７）。
【０１２５】
警告を発した後、制御実行部１９７Ｂは携帯電話装置１００のユーザからの応答の有無を判定する（ステップＳ１０８）。
【０１２６】
携帯電話装置１００のユーザからの応答があった場合には（ステップＳ１０８のＹＥＳ）、制御実行部１９７Ｂは第一の制御処理及び第二の制御処理を実行しない。
【０１２７】
携帯電話装置１００のユーザからの応答がなかった場合には（ステップＳ１０８のＮＯ）、制御実行部１９７Ｂは第一の制御処理（携帯電話装置１００の作動のロック）及び第二の制御処理（データの消去）のうちの何れか一方または双方を実施する（ステップＳ２０３）。
【０１２８】
第一の実施形態の変形例２を本実施形態に対して適用する場合、時間Ｔが予め定められた時間ＴＡを越えていたと判定されたときには（ステップＳ２０２のＹＥＳ）、制御実行部１９７Ｂは、第一の制御処理または第二の制御処理を実施する前に、携帯電話装置のユーザの現在地を示す情報を予め定められた連絡先に連絡を行う（ステップＳ１０９）。
【０１２９】
第一の実施形態の変形例３を本実施形態に対して適用する場合、時間Ｔが予め定められた時間ＴＡを越えていたと判定されたときには（ステップＳ２０２のＹＥＳ）、制御実行部１９７Ｂは、第一の制御処理または第二の制御処理を実施する（ステップＳ２０３）前に、第２のメモリ１９３に記憶されているデータ（携帯電話装置１００のユーザの行動データを含む）を予め定められたサーバ、例えば、データバックアップ用サーバに送信する（ステップＳ１１０）。
【０１３０】
（第三の実施形態）
図１１は、本発明の第三の実施形態に係る通信システム３００のブロック図である。
【０１３１】
図１１に示すように、本実施形態に係る通信システム３００は、携帯電話装置３１０と、データバックアップサーバ３２０と、通信状態監視サーバ３３０と、から構成されている。
【０１３２】
携帯電話装置３１０は本発明の第一の実施形態に係る携帯無線通信端末装置としての携帯電話装置１００と同一の構成を有しており、従って、携帯電話装置１００と同様に作動する。
【０１３３】
本実施形態における携帯電話装置３１０は第一の実施形態における携帯電話装置１００と同様の作動を行うため、以下、携帯電話装置３１０とデータバックアップサーバ３２０との関係及び携帯電話装置３１０と通信状態監視サーバ３３０との関係についてのみ説明を行う。
【０１３４】
携帯電話装置３１０とデータバックアップサーバ３２０との関係は次の通りである。
【０１３５】
制御部１９０の第２のメモリ１９３には、行動データのバックアップを行う頻度（例えば、１時間に１回）が記憶されており、制御実行部１９１Ｄは、その頻度に従って、第２のメモリ１９３に記憶されているユーザの行動データをデータバックアップ用サーバ３２０に送信する（図５のステップＳ１０３）。データバックアップサーバ３２０は、携帯電話装置３１０から行動データを受信し、受信した行動データを記憶する。
【０１３６】
さらに、制御実行部１９１Ｄは、第二の制御処理（データの消去）を実施する前に、第２のメモリ１９３に記憶されているユーザの行動データをデータバックアップ用サーバ３２０に送信する（図８のステップＳ１１０）。
【０１３７】
なお、携帯電話装置３１０からデータバックアップサーバ３２０に送信されるデータは、行動データのみならず、第２のメモリ１９３に記憶されている全てのデータとすることもできる。
【０１３８】
携帯電話装置３１０と通信状態監視サーバ３３０との関係は次の通りである。
【０１３９】
第一の実施形態の変形例２（図７）を第二の実施形態（図１０）に適用した場合、携帯電話装置の中央処理装置１９７がステップＳ２０２（携帯電話装置が予め定められたサーバと通信不能の状態である時間Ｔが予め定められた時間ＴＡを越えているか否かの判定）及びステップＳ１０９（第一の制御処理または第二の制御処理を実施する前に、携帯電話装置のユーザの現在地を示す情報を予め定められた連絡先に連絡する処理）を実施していた。
【０１４０】
本実施形態においては、中央処理装置１９７に代わって通信状態監視サーバ３２０がこれらのステップＳ２０２及びステップＳ１０９を実施する。
【０１４１】
具体的には以下の通りである。
【０１４２】
先ず、通信状態監視サーバ３２０は、内蔵するタイマー（図示せず）の機能により、携帯電話装置３１０と通信不能の状態である時間Ｔを測定する（ステップＳ２０１に相当するステップ）。
【０１４３】
次いで、通信状態監視サーバ３２０は、時間Ｔが予め定められた時間ＴＡを越えているか否かを判定する（ステップＳ２０２に相当するステップ）。
【０１４４】
時間Ｔが予め定められた時間ＴＡを越えた場合には（ステップＳ２０２のＹＥＳに相当する場合）、通信状態監視サーバ３２０は、携帯電話装置３１０のユーザの現在地を示す情報を予め定められた連絡先３４０に連絡する（ステップＳ１０９に相当するステップ）。
【０１４５】
連絡先３４０は予め通信状態監視サーバ３２０に対して登録されている。
【０１４６】
時間Ｔが予め定められた時間ＴＡを越えていない場合には（ステップＳ２０２のＮＯに相当する場合）、通信状態監視サーバ３２０は予め定められた連絡先３４０への連絡は行わない。
【０１４７】
以上のように、本実施形態に係る通信システム３００によれば、上述の第一及び第二の実施形態並びにそれらの変形例に係る携帯無線通信端末装置としての携帯電話装置による効果に加えて、以下の効果を得ることができる。
【０１４８】
本実施形態に係る通信システム３００においては、制御部１９０の第２のメモリ１９３に記憶されているデータは、定期的に（図５のステップＳ１０３）、あるいは、第二の制御処理（データの消去）の実行前に（図８のステップＳ１１０）、データバックアップサーバ３２９に送信される。このため、中央処理装置１９１、１９７制御実行部１９１Ｄ、１９７Ｂが第二の制御処理を実施し（例えば、図５のステップＳ１０６）、第２のメモリ１９３内の全てのデータを消去した場合であっても、携帯電話装置が正常に作動するようになった後に、携帯電話装置がデータバックアップサーバ３２０からデータを受信することにより、データ消去前のデータを復活させることができる。
【０１４９】
また、本実施形態に係る通信システム３００においては、通信状態監視サーバ３２０が、携帯電話装置３１０と通信不能の状態である時間Ｔが予め定められた時間ＴＡを越えているか否かを監視するため、第一の実施形態における携帯電話装置１００と比較して、本実施形態における携帯電話装置３１０の負荷を軽減させることができる。
【０１５０】
なお、本実施形態に係る通信システム３００においては、携帯電話装置３１０は第一の実施形態における携帯電話装置１００と同一の構造を有するものとしたが、第一の実施形態における携帯電話装置１００に代えて、第一の実施形態の変形例１乃至３あるいは第二の実施形態に係る携帯電話装置を用いることも可能である。
【０１５１】
（第三の実施形態の変形例１）
図１２は、本発明の第三の実施形態の変形例１に係る通信システム３５０のブロック図である。
【０１５２】
本変形例に係る通信システム３５０は、第三の実施形態に係る通信システム３００と比較して、行動パターン格納サーバ３６０を追加的に備えている点を除いて、第三の実施形態に係る通信システム３００と同一の構造を有している。このため、第三の実施形態に係る通信システム３００と同一の構成要素には同一の参照符号を付す。
【０１５３】
行動パターン格納サーバ３６０は、形態に３１０により作成されたユーザの行動データを受信し、当該行動データを格納する。
【０１５４】
第一の実施形態に係る携帯無線通信端末装置としての携帯電話装置１００においては、行動パターン記録部１９１Ａにより作成されたユーザの行動データは、例えば、第２のメモリ１９３に蓄積されていたのに対して、本実施形態においては、ユーザの行動データは行動パターン格納サーバ３６０に格納される。このため、第２のメモリ１９３の負荷を軽減させることができるとともに、行動パターン格納サーバ３６０が行動データのバックアップデータを保持することになるので、行動データをより確実に保持することが可能になる。
【図面の簡単な説明】
【０１５５】
【図１】本発明の第一の実施形態に係る携帯無線通信端末装置のブロック図である。
【図２】本発明の第一の実施形態に係る携帯無線通信端末装置における制御部の一構成要素である中央処理装置の機能的ブロック図である。
【図３】中央処理装置の行動パターン記録部によって作成される、携帯無線通信装置のユーザの行動データの一例を示す図である。
【図４】中央処理装置の標準的行動パターン抽出部が作成した標準的行動パターンの一例を示す図である。
【図５】本発明の第一の実施形態に係る携帯無線通信端末装置としての携帯電話装置の動作を示すフローチャートである。
【図６】本発明の第一の実施形態に係る携帯無線通信端末装置の変形例１における動作を示すフローチャートである。
【図７】本発明の第一の実施形態に係る携帯無線通信端末装置の変形例２における動作を示すフローチャートである。
【図８】本発明の第一の実施形態に係る携帯無線通信端末装置の変形例３における動作を示すフローチャートである。
【図９】本発明の第二の実施形態に係る携帯無線通信端末装置としての携帯電話装置における制御部の中央処理装置の機能的ブロック図である。
【図１０】本発明の第二の実施形態に係る携帯無線通信端末装置としての携帯電話装置の動作を示すフローチャートである。
【図１１】本発明の第三の実施形態に係る通信システムのブロック図である。
【図１２】本発明の第三の実施形態の変形例１に係る通信システムのブロック図である。
【符号の説明】
【０１５６】
１００  本発明の第一の実施形態に係る携帯無線通信端末装置
１１０  操作部
１２０  表示部
１３０  発音部
１４０  受話部
１５０  電源部
１６０  ＧＰＳユニット
１７０  定期券機能部
１８０  無線部
１８１  受信部
１８２  送信部
１８３  アンテナ
１９０  制御部
１９１  中央処理装置
１９１Ａ  行動パターン記録部
１９１Ｂ  標準的行動パターン抽出部
１９１Ｃ  行動パターン判定部
１９１Ｄ  制御実行部
１９２  第１のメモリ
１９３  第２のメモリ
１９４  入力インターフェイス
１９５  出力インターフェイス
１９６  バス
１９７  中央処理装置
１９７Ａ  データ消去判定部
１９７Ｂ  制御実行部
１９８  タイマー
３００  本発明の第三の実施形態に係る通信システム
３１０  携帯電話装置
３２０  データバックアップサーバ
３３０  通信状態監視サーバ
３４０  連絡先
３５０本発明の第三の実施形態の変形例１に係る通信システム
３６０  行動パターン格納サーバ
【図１】
2009224868.tif 000003
【図２】
2009224868.tif 000004
【図３】
2009224868.tif 000005
【図４】
2009224868.tif 000006
【図５】
2009224868.tif 000007
【図６】
2009224868.tif 000008
【図７】
2009224868.tif 000009
【図８】
2009224868.tif 000010
【図９】
2009224868.tif 000011
【図１０】
2009224868.tif 000012
【図１１】
2009224868.tif 000013
【図１２】
2009224868.tif 000014